(57)【特許請求の範囲】
【請求項１】
車両の動力源で発生した回転動力を前記車両の駆動輪に伝達する伝達状態、及び、前記回転動力を前記駆動輪に伝達せず前記車両に慣性走行させる非伝達状態のうちいずれか一方からいずれか他方へ切り替え可能な切り替え手段と、
前記駆動輪の駆動軸の回転速度と前記動力源の回転速度との比である変速比を変更可能な変速手段と、
前記車両の位置を示す位置情報を取得する取得手段と、
前記取得された位置情報に基づいて、前記車両が、走行速度の低下が必要な所定道路を走行するか否かを判定する判定手段と、
前記非伝達状態において、前記車両が前記所定道路を走行すると判定される、前記車両の走行速度の低下が必要な減速必要状態である場合、前記切り替え手段によって前記非伝達状態から前記伝達状態へ切り替えさせた後、前記変速比を変更するように変速手段を制御する制御手段と、
を備えることを特徴とする車両の駆動制御装置。
【請求項２】
前記車両が登坂道路を走行するか否かを判定する登坂判定手段を更に備え、
前記制御手段は、前記登坂道路を走行すると判定される場合、前記伝達状態を維持するように又は前記非伝達状態から前記伝達状態へ切り替えるように前記切り替え手段を制御することを特徴とする請求項１に記載の車両の駆動制御装置。
【発明の詳細な説明】
【技術分野】
【０００１】
本発明は、例えば自動車等の車両の駆動制御装置に関し、特に、車両が慣性走行している際の駆動制御を行う駆動制御装置の技術分野に関する。
【背景技術】
【０００２】
この種の駆動制御装置として、例えば特許文献１等には、慣性走行の最中に急激な減速操作が行われる場合、慣性走行を中止してエンジンブレーキを掛ける装置について開示されている。
【先行技術文献】
【特許文献】
【０００３】
【特許文献１】特開平８−２６８１２０号公報
【発明の概要】
【発明が解決しようとする課題】
【０００４】
しかしながら、上述した特許文献１等によれば、エンジンブレーキを掛けるだけでは、慣性走行を中止しクラッチを係合した場合、減速の際の加速度が大きくなってしまい、ひいては、車両の運転者は、エンジンブレーキに伴う走行ショックに起因した運転上の違和感を大きく体感していまい、ドライバビリティが低下してしまうという技術的な問題点が生じる。
【０００５】
本発明は、例えば上述した問題点に鑑みなされたものであり、慣性走行中により適切に減速することが可能な駆動制御装置を提供することを課題とする。
【課題を解決するための手段】
【０００６】
上記課題を解決するために、本発明に係る車両の駆動制御装置は、車両の動力源で発生した回転動力を前記車両の駆動輪に伝達する伝達状態、及び、前記回転動力を前記駆動輪に伝達せず前記車両に慣性走行させる非伝達状態のうちいずれか一方からいずれか他方へ切り替え可能な切り替え手段と、前記駆動輪の駆動軸の回転速度と前記動力源の回転速度との比である変速比を変更可能な変速手段と、前記車両の位置を示す位置情報を取得する取得手段と、前記取得された位置情報に基づいて、前記車両が、走行速度の低下が必要な所定道路を走行するか否かを判定する判定手段と、前記非伝達状態において、前記車両が前記所定道路を走行すると判定される、前記車両の走行速度の低下が必要な減速必要状態である場合、前記切り替え手段によって前記非伝達状態から前記伝達状態へ切り替えさせた後、前記変速比を変更するように変速手段を制御する制御手段と、を備える。
【０００７】
本発明に係る車両の駆動制御装置によれば、例えばクラッチ等を備えて構成可能な切り替え手段によって、車両の動力源で発生した回転動力を車両の駆動輪に伝達する伝達状態、及び、回転動力を駆動輪に伝達せず車両に慣性走行させる非伝達状態のうちいずれか一方からいずれか他方へ切り替えられる。
【０００８】
本発明に係る伝達状態とは、典型的には、車両の動力源としてのエンジンで発生した回転動力が、例えばクラッチが係合されることにより、車両の駆動輪に伝達している状態を意味する。本発明に係る非伝達状態とは、典型的には、エンジンで発生した回転動力が、例えばクラッチの係合が解放されることにより、車両の駆動輪に伝達されず、車両が慣性走行している状態を意味する。
【０００９】
例えば自動変速機等を備えて構成可能な変速手段によって、駆動輪の駆動軸の回転速度と動力源の回転速度との比である変速比が変更される。
【００１０】
特に、本発明によれば、非伝達状態において駆動軸の回転速度を低下させる場合、例えばメモリ、プロセッサ等を備えて構成可能な制御手段の制御下で、切り替え手段が非伝達状態から伝達状態へ切り替えた後、変速手段によって、変速比が変更される。
【００１１】
これにより、非伝達状態の下で車両が慣性走行している最中に車両が減速する際の加速度（以下、適宜「減速加速度」と称す）を小さくさせつつ、車両の走行速度を減速させることが可能である。尚、この減速加速度は、車両が加速する際の加速度を正とした場合、負の値で示される。これにより、車両の運転者は、車両の慣性走行の最中に減速する際に、変速比の変更に伴う走行ショックに起因した運転上の違和感を体感する度合いを低減することが可能であり、ひいては、ドライバビリティを向上させることが可能である。
【００１９】
本発明に係る車両の駆動制御装置の他の態様は、前記車両が登坂道路を走行するか否かを判定する登坂判定手段を更に備え、前記制御手段は、前記登坂道路を走行すると判定される場合、前記伝達状態を維持するように又は前記非伝達状態から前記伝達状態へ切り替えるように前記切り替え手段を制御する。
【００２０】
この態様によれば、例えばメモリ、プロセッサ等を備えて構成可能な登坂判定手段によって、車両が登坂道路を走行するか否かが判定される。ここに、本発明に係る登坂道路とは、例えば登り坂等の登り勾配を有する道路を意味する。ここで、車両が登坂道路を走行すると判定される場合、制御手段の制御下で、切り替え手段によって、伝達状態が維持される又は非伝達状態から伝達状態へ切り替えられる。
【００２１】
これにより、車両が登坂道路を走行すると判定される場合、伝達状態において、変速手段による変速比の変更、即ち、変速を適切且つ迅速に実行することが可能であり、登坂道路でのビジーシフトの発生を効果的に低減させることが可能である。ここに、本発明に係るビジーシフトとは、車両の運転者によるアクセルの踏み込みや踏み戻しに起因して、変速手段によるダウンシフト変速やアップシフト変速が繰り返し行われる変速の状態を意味する。これにより、慣性走行において、燃費の向上と登坂道路での適切且つ迅速な変速との両立を実現可能である。
【００２２】
本発明の作用及び他の利得は次に説明する実施形態から明らかにされる。
【図面の簡単な説明】
【００２３】
【図１】本実施形態に係る駆動制御装置が搭載される車両の構成を示すブロック図である。
【図２】本実施形態に係る駆動制御装置における動作の流れを示したフローチャートである。
【図３】本実施形態に係る駆動制御装置１００の変速制御において用いられる変速マップの一例及び他の例を示すグラフ（図３（ａ）及び図３（ｂ））である。
【発明を実施するための形態】
【００２４】
以下、図面を参照して本発明の好適な実施形態について説明する。
【００２５】
（実施形態）
（基本構成）
本発明に係る駆動制御装置の本実施形態について、図１及び図２を参照して説明する。
【００２６】
先ず、本実施形態に係る駆動制御装置が搭載される車両の構成について、図１を参照して説明する。図１は、本実施形態に係る駆動制御装置が搭載される車両の構成を示すブロック図である。尚、図１では、説明の便宜上、本実施形態に直接関係のある部材のみ図示しており、他の部材については図示を省略している。
【００２７】
図１において、車両１は、エンジン１０、自動変速機２０、エンジンＥＣＵ（Ｅｌｅｃｔｒｏｎｉｃ  Ｃｏｎｔｒｏｌ  Ｕｎｉｔ）４１、トランスミッションＥＣＵ４２、慣性走行制御用ＥＣＵ４３、バッテリーＥＣＵ４４、通信機４５、前方検知装置４６、ナビゲーション装置４７を備えて構成されている。
【００２８】
エンジン１０は、該エンジン１０の始動時に、該エンジン１０をクランキングするためのスタータモータ１１と、エンジン１０のクランクシャフトの回転に連動して回転するオルタネータ１２と、を有している。
【００２９】
自動変速機２０は、無段変速機２１、前後進クラッチ２２、エンジン切り離しクラッチ２３、ロックアップクラッチ付きトルクコンバータ２４、機械式オイルポンプ２５（以降、適宜“メカポンプ”と称する）、電動式オイルポンプ２６、オルタネータ２７及び伝達軸２８を有している。尚、この自動変速機２０によって、本発明に係る変速手段の一例が構成されている。
【００３０】
無段変速機２１の入力軸は、伝達軸２８を介して、前後進クラッチ２２に連結されている。他方、無段変速機２の出力軸は、デファレンシャル３１及びドライブシャフト３２を介して駆動輪３３ａ及び３３ｂに連結されている。前後進クラッチ２２は、その締結状態により、無段変速機２１の入力軸の回転方向を制御する。
【００３１】
エンジン切り離しクラッチ２３は、図１に示すように、エンジン１０とトルクコンバータ２４の入力軸との間に配置され、エンジン１０とトルクコンバータ２４の入力軸との間の動力の伝達を切断可能に構成されている。尚、このエンジン切り離しクラッチ２３によって、本発明に係る切り替え手段の一例が構成されている。
【００３２】
トルクコンバータ２４は、ロックアップクラッチ、ポンプインペラ、タービンライナ及びステータを備えて構成されている。ロックアップクラッチは、トルクコンバータカバー（以降、適宜「トルコンカバー」と称す）及びロックアップピストンにより構成されている。
【００３３】
トルクコンバータ２４の入力軸は、トルコンカバーを介してポンプインペラに接続されている。他方、トルクコンバータ２４の出力軸は、ロックアップピストン及びタービンライナに接続されている。ステータは、ワンウェイクラッチを有し、トルク増幅機能を有する。ロックアップクラッチの係合及び解放は、トルクコンバータ２４に供給されるオイルの油圧により制御される。尚、トルクコンバータ２４の出力軸の回転数は、タービン回転数と一致する。特に、本実施形態において、「ポンプインペラ」及び「トルコンカバー」を、それらの機能に着目して「入力側回転体」と総称する。加えて、本実施形態において、「ロックアップピストン」及び「タービンインペラ」を、それらの機能に着目して「出力側回転体」と総称する。
【００３４】
特に、ロックアップクラッチの係合及び解放は、メカポンプ２５又は電動式オイルポンプ２６によってトルクコンバータ２４に供給されるオイルの油圧（具体的には、解放側油室及び係合側油室の各々に供給されるオイルの油圧）により制御される。
【００３５】
メカポンプ２５は、トルクコンバータ２４の入力側回転体の回転により油圧を発生させる。より具体的には、メカポンプ２５は、連結部材を介して、トルクコンバータ２４のポンプインペラに接続され、トロコイド型の外歯を有するインナロータと、該外歯と係合する内歯を有するアウタロータとを備えるトロコイド式のオイルポンプである。トルクコンバータ２４のポンプインペラの回転に伴ってインナロータが回転駆動されると、内歯と外歯とが係合しているので、アウタロータも回転し、両ロータの回転に起因して油圧が発生される。
【００３６】
電動式オイルポンプ２６は、トランスミッションＥＣＵ４２から出力される信号に応じて、油圧を発生させる。オルタネータ２７は、無段変速機２１の入力軸の回転と連動して回転する。
【００３７】
尚、自動変速機２０は、無段変速機２１に代えて、例えば、マルチモードマニュアルトランスミッション（ＭＭＴ）、デュアルクラッチトランスミッション（ＤＣＴ）等を有していてもよい。
【００３８】
エンジンＥＣＵ４１は、エンジン１０の駆動状態を制御する。トランスミッションＥＣＵ４２は、自動変速機２０を制御する。慣性走行制御用ＥＣＵ４３は、車両１の慣性走行を許可するか否か判定すると共に、エンジンＥＣＵ４１及びトランスミッションＥＣＵ４２に対して、車両１の慣性走行を許可するか否かを示す信号を送信する。ここに、本実施形態に係る慣性走行とは、車両１がエンジン１０の駆動力とは独立して、車両１の重量と車両１が有する運動エネルギーに起因した慣性力によって走行する状態を意味する。典型的には、慣性走行とは、エンジン１０とトルクコンバータ２４の入力軸との間の動力の伝達が切断されている非伝達状態における車両１の走行状態を意味する。
【００３９】
バッテリーＥＣＵ４４は、バッテリー（図示せず）の状態（例えば、充電率、温度等）を監視すると共に、監視結果を示す信号を慣性走行制御用ＥＣＵ４３に送信する。
【００４０】
通信機４５は、典型的には、自車両と、自車両を除く他の車両との間での通信を行うための通信機であり、車車間通信用のアンテナを介して他の車両と通信を行う。通信機４５は、或いは、典型的には、路車間通信機であり、自車両が走行する道路に設置された路側インフラと通信を行うための通信機であり、路車間通信用のアンテナを介して路側インフラと通信を行う。より具体的には、通信機４５は、路側インフラと通信を行う。通信機４５は、交差点に設置された信号機の信号サイクル情報や、交差点付近に存在する他車両の存在状況を示す存在状況情報を、路側インフラ装置から受信する。尚、信号サイクル情報には、信号機の現在の灯色や、現在の灯色が変化するまでの時間（例えば、現在の灯色が青色である場合には、灯色が赤色或いは黄色になるまでの時間）などが含まれる。
【００４１】
通信機４５は、より典型的には、例えばＧＰＳ信号や地図情報や道路交通情報に関する各種の情報を受信すると共に、例えば自車両の位置情報等の各種の車両情報を情報管理サーバへ送信してよい。車両情報は、より典型的には、運転者の運転操作タイミング、運転操作量、運転操作の方向、車両の速度若しくは加減速度に関する定量的及び定性的なデータ群を意味してよい。
【００４２】
より詳細には、通信機４５は、ＧＰＳ信号を受信するために、複数のＧＰＳ衛星から、測位用データを含む下り回線データを搬送する電波を受信する。測位用データは、緯度及び経度情報等から車両の絶対的な位置を検出するために用いられる。更に詳細には、通信機４５は、例えば、ＦＭチューナやビーコンレシーバ、携帯電話や専用の通信カードなどにより構成されてよく、通信用インタフェースを介して、ＶＩＣＳ（Ｖｅｈｉｃｌｅ  Ｉｎｆｏｒｍａｔｉｏｎ  Ｃｏｍｍｕｎｉｃａｔｉｏｎ  Ｓｙｓｔｅｍ）センタ等の交通環境情報サーバから配信される渋滞や交通情報などの、所謂、道路交通情報や、その他の情報を、例えば電波等の通信網を介して受信してよい。更に詳細には、通信機４５は、地図情報の全部又は地図情報のうち更新された一部に関する情報を受信してよい。
【００４３】
尚、自車両と他の車両との距離を推定するための位置情報を受信する通信機４５、及び受信された位置情報によって、自車両と他の車両との距離を推定する慣性走行制御用ＥＣＵ４３によって、本発明に係る第１判定手段の一例が構成されている。
【００４４】
また、自車両の位置及び車両の走行速度の低下が必要な所定道路に関する位置情報を受信する通信機４５、及び受信された位置情報によって、自車両と所定道路との位置を推定する慣性走行制御用ＥＣＵ４３は、本発明に係る第２判定手段の一例を構成している。尚、所定道路は、典型的には、下り坂道路、信号機を備えた交差点、横断歩道、急カーブの道路、又は踏切等の車両の走行速度の低下が必要な道路を意味する。
【００４５】
また、自車両の位置と、登坂道路との位置情報を受信する通信機４５、及び受信された位置情報によって、自車両と登坂道路との位置を推定する慣性走行制御用ＥＣＵ４３は、本発明に係る登坂判定手段の一例を構成している。
【００４６】
前方検知装置４６は、例えば車載用のカメラや車載用のレーダー等の、車両の前方に位置する他の車両や障害物を検知する装置である。尚、車両の前方に位置する他の車両や障害物を検知する前方検知装置４６によって、本発明に係る第１判定手段の他の例が構成されている。
【００４７】
ナビゲーション装置４７は、典型的にはカーナビゲーション等の装置であり、受信されたＧＰＳ信号や記憶された地図情報に基づいて、自車両の位置を地図上で運転者に提示可能な装置である。尚、ナビゲーション装置４７によって、本発明に係る第２判定手段の一例又は登坂判定手段の一例が構成されている。
【００４８】
駆動制御装置１００は、エンジン１０、自動変速機２０、エンジン切り離しクラッチ２３、トランスミッションＥＣＵ４２、慣性走行制御用ＥＣＵ４３、通信機４５、前方カメラレーダー４６、及びナビゲーション装置４７を備えて構成されている。
【００４９】
トランスミッションＥＣＵ４２は、慣性走行制御用ＥＣＵ４３の制御下で、エンジン切り離しクラッチ２３によりエンジン１０とトルクコンバータ２４の入力軸との間の動力の伝達が切断された状態で車両１が走行する慣性走行へ移行する際に、トルクコンバータ２４のロックアップピストン及びトルコンカバー（即ち、ロックアップクラッチ）が係合された状態で、エンジン１０とトルクコンバータ２４の入力軸との間の動力の伝達を切断するようにエンジン切り離しクラッチ２３を制御する。尚、上述したトランスミッションＥＣＵ４２及び慣性走行制御用ＥＣＵ４３によって、本発明に係る制御手段の一例が構成されている。
【００５０】
特に、本実施形態によれば、エンジン１０とトルクコンバータ２４の入力軸との間の動力の伝達が切断されている非伝達状態である慣性走行中において走行速度を低下させる場合、慣性走行制御用ＥＣＵ４３の制御下で、エンジン切り離しクラッチ２３は切断状態から係合状態へ切り替えられ、非伝達状態からエンジン１０とトルクコンバータ２４の入力軸との間の動力が伝達されている伝達状態へ切り替えられる。そして、非伝達状態から伝達状態へ切り替えられた後、無段変速機２１によって、変速比が変更される。
【００５１】
これにより、上述した非伝達状態の下で車両が慣性走行している最中に車両１が減速する際の加速度を小さくさせつつ、車両の走行速度を減速させることが可能である。これにより、車両の運転者は、車両の慣性走行の最中に減速する際に、変速比の変更に伴う走行ショックに起因した運転上の違和感を体感する度合いを低減することが可能であり、ひいては、ドライバビリティを向上させることが可能である。
【００５２】
（駆動制御装置の動作原理）  
次に、図２及び図３を参照して、本実施形態に係る駆動制御装置１００の動作原理について説明する。ここに、図２は、本実施形態に係る駆動制御装置１００における動作の流れを示したフローチャートである。尚、図２に示された駆動制御装置１００における動作は、一定の周期で又は不定周期で、或いは連続して実行される。
【００５３】
図３は、本実施形態に係る駆動制御装置１００の変速制御において用いられる変速マップの一例及び他の例を示すグラフ（図３（ａ）及び図３（ｂ））である。尚、図３（ａ）及び図３（ｂ）中の横軸は、車両１の走行速度を示し、縦軸は、自動変速機２０のアクセル開度を示す。また、図３（ａ）及び図３（ｂ）中の実線Ｌ１２、Ｌ２３、Ｌ３４は、第１速から第２速への変速、第２速から第３速への変速、第３速から第４速への変速線を夫々示す。図３（ａ）及び図３（ｂ）中の点線Ｌ４３、Ｌ３２、Ｌ２１は、第４速から第３速への変速、第３速から第２速への変速、第２速から第１速への変速線を夫々示す。特に、図３（ａ）中の太い実線Ｌ２３’は、コーストダウンシフトによる変速点制御における第２速から第３速への変速線を夫々示す。図３（ａ）中の太い点線のＬ３２’は、コーストダウンシフトによる変速点制御における第３速から第２速への変速線を示す。
【００５４】
（非伝達状態の慣性走行から伝達状態の走行への切り替え制御処理）
図２に示されるように、先ず、慣性走行制御用ＥＣＵ４３の制御下で、慣性走行中の車両１の減速が、例えば数十μ秒〜数秒等の所定時間以内に必要であるか否かが判定される（ステップＳ１０１）。典型的には、慣性走行制御用ＥＣＵ４３の制御下で、例えば車載用のカメラや車載用のレーダー等の前方検知装置４６が、他の車両や障害物を車両の前方の所定範囲において検知し、車両１の現在の走行速度では衝突する危険性が高まったか否かが判定される。或いは、典型的には、慣性走行制御用ＥＣＵ４３の制御下で、通信機４５が受信した車両１の位置情報に基づいて、例えば、下り坂道路、信号機を備えた交差点、横断歩道、急カーブの道路、又は踏切等の車両の走行速度の低下が必要な所定道路を車両１が例えば数十μ秒〜数秒等の所定時間以内に走行するか否かが判定される。
【００５５】
このステップＳ１０１の判定の結果、慣性走行中の車両１の減速が必要であると判定される（ステップＳ１０１：Ｙｅｓ）、慣性走行制御用ＥＣＵ４３の制御下で、慣性走行許可フラグがオンであるか否かが判定される（ステップＳ１０２）。即ち、慣性走行制御用ＥＣＵ４３の制御下で、例えば高速道路の走行から渋滞している国道の走行への変化等のように車両１の走行道路の状況が変わったことにより、エンジン１０とトルクコンバータ２４の入力軸との間の動力の伝達が切断されている非伝達状態における慣性走行の状態から、エンジン１０とトルクコンバータ２４の入力軸との間の動力が伝達されている伝達状態における通常の走行状態へ復帰させるか否かが判定される。
【００５６】
上述したステップＳ１０２の判定の結果、慣性走行制御用ＥＣＵ４３の制御下で、慣性走行許可フラグがオンであると判定されない場合、即ち、慣性走行許可フラグがオンでないオフであると判定される場合、言い換えると、非伝達状態における慣性走行の状態から、伝達状態における通常の走行状態へ復帰させるべきと判定される場合（ステップＳ１０２：Ｎｏ）、慣性走行制御用ＥＣＵ４３の制御下で、トランスミッションＥＣＵ４２からの信号に基づいて、エンジン切り離しクラッチ２３の締結が完了したか否かが判定される（ステップＳ１０３）。ここで、エンジン切り離しクラッチ２３の締結が完了した判定される場合（ステップＳ１０３：Ｙｅｓ）、慣性走行制御用ＥＣＵ４３の制御下で、トランスミッションＥＣＵ４２は、変速点制御による、アクセル開度を全閉にさせた状態でのダウンシフト、所謂、コーストダウンシフトが要求されたか否かを判定する（ステップ１０４）。ここに、本実施形態に係る変速点制御とは、現時点での車両１の走行速度及び現時点での自動変速機２０のアクセル開度で決まる変速線と異なる変速線を用いて変速を行うことを意味する。尚、変速点制御によるコーストダウンシフトは、図３（ａ）の太線の点線Ｌ３２’及び実線Ｌ２３’に示されるように、変速点である点Ｐ１の位置を変化させることなく、変速線を変化させることによりダウンシフトを行うことを意味する。他方、図３（ｂ）中の一点鎖線の矢印は、現時点での点Ｐ１から、現時点での車両１の走行速度と同じ走行速度及び現時点でのアクセル開度より大きなアクセル開度によって示される点Ｐ３へ変化させた、３速ギヤ段から２速ギヤ段へ変速する変速点制御、所謂、パワーオンダウンシフトを示す。尚、本実施形態に係る変速点制御によるダウンシフトは、３速ギヤ段から２速ギヤ段への変速に代えて、３速ギヤ段から１速ギヤ段へ変速する等の１つ以上のギヤ段を跨いでダウンシフトしてよい。
【００５７】
上述したステップ１０４の判定の結果、ダウンシフト要求があると判定される場合（ステップＳ１０４：Ｙｅｓ）、慣性走行制御用ＥＣＵ４３の制御下で、トランスミッションＥＣＵ４２は、変速点制御によるアクセル全閉のダウンシフトを許可する（ステップＳ１０５）。
【００５８】
他方、上述したステップＳ１０１の判定の結果、慣性走行している車両１において、減速が必要であると判定されない場合、言い換えると、慣性走行している車両１において、減速が必要ないと判定される場合（ステップＳ１０１：Ｎｏ）、慣性走行制御用ＥＣＵ４３の制御下で、トランスミッションＥＣＵ４２によって、車両１が、ビジーシフトの発生する登坂道路を、例えば数十μ秒〜数秒等の所定時間内に走行するか否かが判定される（ステップＳ１０７）。ここに、本実施形態に係るビジーシフトとは、車両の運転者によるアクセルの踏み込みや踏み戻しに起因して、無段変速機２１によるダウンシフトやアップシフトが繰り返し行われる変速の状態を意味する。
【００５９】
上述したステップＳ１０７の判定の結果、車両１がビジーシフトの発生する登坂道路を所定時間内に走行すると判定される場合（ステップＳ１０７：Ｙｅｓ）、上述したステップＳ１０２乃至上述したステップＳ２０１以降における各処理が実行され、慣性走行が禁止される。
【００６０】
以上のように、慣性走行中の車両１において減速が必要である場合、エンジン切り離しクラッチ２３の締結が完了した後で、アクセル全閉のダウンシフトを許可し実行する。これにより、上述した非伝達状態の下で車両が慣性走行している最中に車両１が減速する際の加速度を小さくさせつつ、車両の走行速度を減速させることが可能である。これにより、車両の運転者は、車両の慣性走行の最中に減速する際に、変速比の変更に伴う走行ショックに起因した運転上の違和感を体感する度合いを低減することが可能であり、ひいては、ドライバビリティを向上させることが可能である。
【００６１】
仮に、慣性走行中の車両１において減速が必要である場合、上述した非伝達状態における慣性走行から伝達状態における通常走行へ切り替えるタイミングと、ダウンシフトするタイミングを考慮しない場合、ダウンシフトの後、非伝達状態から伝達状態へ切り替えられる可能性があり、減速加速度が大きくなってしまい、ひいては、車両の運転者は、ダウンシフトに伴う走行ショックに起因した運転上の違和感を大きく体感していまい、ドライバビリティが低下してしまうという技術的な問題点が生じる。
【００６２】
（電動式オイルポンプの停止）
再び、図２に示されるように、上述したステップＳ１０５に続いて、慣性走行制御用ＥＣＵ４３の制御下で、トランスミッションＥＣＵ４２は、前後進クラッチ２２によりエンジン１０を切り離す場合のみ、変速終了後、電動式オイルポンプ２６を停止するように、停止指示を示す信号を出力してよい（ステップＳ１０６）。これにより、電動式オイルポンプ２６の停止に制限を掛けることができるので、自動変速機２０等へ供給された作動油の油圧が低下することを効果的に防止することができる。
【００６３】
（エンジン切り離しクラッチの締結の実施）
再び、図２に示されるように、上述したステップＳ１０２の判定の結果、慣性走行制御用ＥＣＵ４３の制御下で、慣性走行許可フラグがオンであると判定される場合（ステップＳ１０２：Ｙｅｓ）、慣性走行制御用ＥＣＵ４３の制御下で、慣性走行許可フラグがオフにされる（ステップＳ２０１）。これにより、非伝達状態における慣性走行の状態から、伝達状態における通常の走行状態へ復帰させることができる。
【００６４】
次に、慣性走行制御用ＥＣＵ４３の制御下で、エンジンＥＣＵ４１によって、アイドリングが実施中であるか否かが判定される（ステップＳ２０２）。ここで、アイドリングが実施中であると判定されない場合（ステップＳ２０２：Ｎｏ）、慣性走行制御用ＥＣＵ４３の制御下で、エンジンＥＣＵ４１によって、エンジン１０は停止中であるか否かが判定される（ステップＳ２０３）。ここで、エンジン１０が停止中であると判定された場合（ステップＳ２０３：Ｙｅｓ）、慣性走行制御用ＥＣＵ４３の制御下で、エンジンＥＣＵ４１によって、エンジン１０が始動される（ステップＳ２０４）。
【００６５】
続いて、慣性走行制御用ＥＣＵ４３の制御下で、トランスミッションＥＣＵ４２によって、エンジン切り離しクラッチ２３の締結が実施される（ステップＳ２０５）。典型的には、このエンジン切り離しクラッチ２３の締結が実施される場合、エンジンの回転速度に応じたクラッチ係合圧の制御が実施されることが好ましい。これにより、エンジン１０とトルクコンバータ２４の入力軸とを適切且つ確実に伝達可能に係合することができる。
【００６６】
以上のように、慣性走行中の車両１の減速が必要である場合、或いは、車両１がビジーシフトの発生する登坂道路を所定時間内に走行する場合、慣性走行許可フラグをオフにし、非伝達状態における慣性走行の状態から、伝達状態における通常の走行状態へ復帰させるためにエンジン切り離しクラッチ２３の締結を、ダウンシフトの実行以前に実施する。
【００６７】
（慣性走行における制御処理）
再び、上述した図２中のステップＳ１０７の判定の結果、車両１がビジーシフトの発生する登坂道路を所定時間内に走行すると判定されない場合（ステップＳ１０７：Ｎｏ）、慣性走行制御用ＥＣＵ４３の制御下で、エンジンＥＣＵ４１によって、アイドリングが実施中であるか否かが判定される（ステップＳ３０１）。ここで、アイドリングが実施中であると判定される場合（ステップＳ３０１：Ｙｅｓ）、慣性走行制御用ＥＣＵ４３の制御下で、慣性走行許可フラグがオンにされる（ステップＳ３０２）。
【００６８】
次に、慣性走行制御用ＥＣＵ４３の制御下で、トランスミッションＥＣＵ４２によって、エンジン切り離しクラッチ２３の解放が実施される（ステップＳ３０３）。これにより、エンジン１０とトルクコンバータ２４の入力軸との間で動力が伝達されない。
【００６９】
典型的には、エンジン切り離しクラッチ２３の解放が実施される際に、エンジンに燃料が供給されないフューエルカット状態である場合、エンジン１０が停止してしまうので、電動式オイルポンプ２６を始動することが好ましい。これにより、エンジンの停止に関わらず作動油を自動変速機２０に供給することが可能である。
【００７０】
他方、エンジン１０に燃料が供給されないフューエルカット状態でない場合、エンジン切り離しクラッチ２３の解放の後にエンジン１０を停止してよい。典型的には、前後進クラッチ２２によって、エンジン１０と自動変速機２０とを切り離す場合は、作動油の油圧が無くなってしまうので、電動式オイルポンプ２６を起動することが好ましい。これにより、前後進クラッチ２２による非伝達状態に関わらず作動油を自動変速機２０に供給することが可能である。
【００７１】
特に、本願発明者の研究によれば、自動変速機２０を備える車両１では、エンジン１０がアイドリングを実施している状態（即ち、車両１の運転者がアクセルを離したアクセルオフの状態）で車両１が慣性走行している場合、次の第１の制御処理及び第２の制御処理を行うことが好ましいことが判明している。即ち、この場合、第１の制御処理として、慣性走行の最中に、エンジン１０側を車輪側から切り離すことによって機械的な負荷（即ち、フリクション）を低減する。このことに加えて、第２の制御処理として、車両１の運転者がアクセルを再度、踏み込んだアクセルオンの状態となった場合にエンジン１０側と車輪側とを繋ぐことが好ましい。これにより、燃費の向上が図られることが判明している。
【００７２】
（非伝達状態の慣性走行から伝達状態の走行への切り替え制御処理：続き）
再び、上述した図２中のステップＳ３０１の判定の結果、アイドリングが実施中であると判定されない場合（ステップＳ３０１：Ｎｏ）、慣性走行制御用ＥＣＵ４３の制御下で、慣性走行許可フラグがオンであるか否かが判定される（ステップＳ３０４）。ここで、慣性走行許可フラグがオンであると判定される場合（ステップＳ３０４：Ｙｅｓ）、慣性走行制御用ＥＣＵ４３の制御下で、慣性走行許可フラグがオフにされる（ステップＳ３０５）。
【００７３】
続いて、上述したステップＳ２０３乃至ステップＳ２０５が実施される。
【００７４】
他方、上述したステップＳ２０３の判定の結果、エンジン１０が停止中であると判定されない場合、言い換えると、エンジン１０が停止中でない、即ち駆動状態であると判定される場合、（ステップＳ２０３：Ｎｏ）、エンジン１０を始動するステップＳ２０４は省略される。
【００７５】
他方、上述したステップＳ３０４の判定の結果、慣性走行制御用ＥＣＵ４３の制御下で、慣性走行許可フラグがオンであると判定されない場合、即ち、慣性走行許可フラグがオンでない、即ち、オフであると判定される場合、典型的には、非伝達状態における慣性走行の状態から、伝達状態における通常の走行状態へ復帰させるべきと判定される場合（ステップＳ３０４：Ｎｏ）、上述したように、慣性走行制御用ＥＣＵ４３の制御下で、トランスミッションＥＣＵ４２からの信号に基づいて、エンジン切り離しクラッチ２３の締結が完了したか否かが判定される（ステップＳ１０３）。
【００７６】
尚、上述した本実施形態に係る慣性走行中は、エンジン１０が停止されてよい。他方、自動変速機２０等への油圧の供給は、電動式オイルポンプ２６よりもメカポンプ２５のほうが効率がよい。しかしながら慣性走行中はエンジン１０が停止しているので、メカポンプ２５により自動変速機２０等へ油圧を供給することができず、燃費が低下するおそれがある。そこで、本実施形態では、更に、慣性走行制御用ＥＣＵ４３の制御下で、トランスミッションＥＣＵ４２により、慣性走行へ移行する際に、出力側回転体が入力側回転体に係合された状態で、エンジン１０とトルクコンバータ２４の入力軸との間の動力の伝達を切断するようにエンジン切り離しクラッチ２３が制御されてよい。
【００７７】
これにより、車両１が慣性走行へ移行した場合、トルクコンバータ２４のトルコンカバーが、駆動輪３３ａ及び３３ｂの回転に起因して回転駆動されるトルクコンバータ２４のロックアップピストンに伴って回転することとなり、もって、メカポンプ２５により油圧を発生させることができる。この結果、車両１が慣性走行中であっても、メカポンプ２５により油圧を供給することができ、燃費効率を向上させることができる。
【００７８】
また、本実施形態では、エンジン切り離しクラッチ２３によって、エンジン１０の動力を駆動軸に伝達されなくさせたが、本発明はこの限りでなく、エンジン切り離しクラッチ２３に代えて、前後進クラッチ２２によって、エンジン１０の動力を駆動軸に伝達させなくさせてよい。
【００７９】
本発明は、上述した実施形態に限られるものではなく、請求の範囲及び明細書全体から読み取れる発明の要旨或いは思想に反しない範囲で適宜変更可能であり、そのような変更を伴う駆動制御装置もまた本発明の技術的範囲に含まれるものである。
【産業上の利用可能性】
【００８０】
本発明は、例えば自動車等の車両の駆動制御装置に利用可能であり、特に、車両が慣性走行している際の駆動制御を行う駆動制御装置に利用可能である。
【符号の説明】
【００８１】
１…車両
１０…エンジン
２０…自動変速機
２１…無段変速機
２２…前後進クラッチ
２３…エンジン切り離しクラッチ
２４…ロックアップクラッチ付きトルクコンバータ
２５…メカポンプ
２６…電動式オイルポンプ
４１…エンジンＥＣＵ
４２…トランスミッションＥＣＵ
４３…慣性走行制御用ＥＣＵ
４４…バッテリーＥＣＵ
４５…通信機
４６…前方カメラレーダー
４７…ナビゲーション装置
１００…駆動制御装置
【図１】
0005589545.tif 000002
【図２】
0005589545.tif 000003
【図３】
0005589545.tif 000004